(57)【特許請求の範囲】
【請求項１】
パンチをその軸心方向に摺動自在として保持したリテーナ本体と、
前記リテーナ本体内に配置され、パンチの大径頭部によって抜け止めされたばね座部材と、
前記リテーナ本体内に配置され、前記ばね座部材に作用してパンチを打抜不能位置へ向け付勢するスプリングと、
前記リテーナ本体の上面に開口するように該リテーナ本体に形成されたガイド溝内に配置され、手動操作によって前記パンチの大径頭部背面に進退出されて、パンチの打抜可能位置と打抜不能位置とを切換えるためのセレクトバーと、
前記リテーナ本体の上面に着脱自在に取付けられ、前記パンチとばね座部材とセレクトバーとを上方から覆うバッキングプレ−トと、
前記セレクトバーがパンチの打抜不能位置となる所定位置まで退出されたときに該セレクトバーに当接されて、該セレクトバーが前記リテーナ本体から抜け出るのを規制するためのストッパと、
を備え、
前記セレクトバーが前記所定位置まで退出されたとき、前記ばね座部材のパンチ軸心方向への延長軌跡上に該セレクトバーの先端部が位置するように設定され、
前記セレクトバーが前記所定位置まで退出された状態において、前記バッキングプレ−トが取外された状態であっても該セレクトバーが前記ガイド溝から上方へ向けて抜け出るのを防止しつつ、該セレクトバーの先端部が上方へ向けて揺動可能とする揺動機構が設けられ、
前記バッキングプレ−トをリテーナ本体から取外した状態で、前記セレクトバーが前記所定位置にまで退出されたとき、該セレクトバーをその先端部が上方へ向かうように揺動させることによって、該セレクトバーの先端部が前記ばね座部材のパンチ軸心方向への延長軌跡から外れるようにされている、
ことを特徴とするプレス金型におけるパンチ保持装置。
【請求項２】
パンチをその軸心方向に摺動自在として保持したリテーナ本体と、
前記リテーナ本体内に配置され、パンチの大径頭部によって抜け止めされたばね座部材と、
前記リテーナ本体内に配置され、前記ばね座部材に作用してパンチを打抜不能位置へ向け付勢するスプリングと、
前記リテーナ本体の上面に開口するように該リテーナ本体に形成されたガイド溝内に配置され、手動操作によって前記パンチの大径頭部背面に進退出されて、パンチの打抜可能位置と打抜不能位置とを切換えるためのセレクトバーと、
前記リテーナ本体の上面に着脱自在に取付けられ、前記パンチとばね座部材とセレクトバーとを上方から覆うバッキングプレ−トと、
前記セレクトバーがパンチの打抜不能位置となる所定位置まで退出されたときに該セレクトバーに当接されて、該セレクトバーが前記リテーナ本体から抜け出るのを規制するためのストッパと、
を備え、
前記セレクトバーが、前記ガイド溝に対して、パンチの打抜可能位置においてのみ上方から嵌合できるようにされている、
ことを特徴とするプレス金型におけるパンチ保持装置。
【請求項３】
パンチをその軸心方向に摺動自在として保持したリテーナ本体と、
前記リテーナ本体内に配置され、パンチの大径頭部によって抜け止めされたばね座部材と、
前記リテーナ本体内に配置され、前記ばね座部材に作用してパンチを打抜不能位置へ向け付勢するスプリングと、
前記リテーナ本体の上面に開口するように該リテーナ本体に形成された第１ガイド溝内に配置され、手動操作によって前記パンチの大径頭部背面に進退出されて、パンチの打抜可能位置と打抜不能位置とを切換えるためのセレクトバーと、
前記リテーナ本体の上面に着脱自在に取付けられ、前記パンチとばね座部材とセレクトバーとを上方から覆うバッキングプレ−トと、
前記セレクトバーの側面および前記第１ガイド溝の内側面のいずれか一方に形成されて、該セレクトバーの長手方向に伸びる第２ガイド溝と、
前記セレクトバーの側面および前記第１ガイド溝の内側面の他方に設けられ、前記第２ガイド溝内に嵌合される突起状のストッパと、
前記第２ガイド溝に連通するように形成され、前記ストッパがパンチの軸心方向から嵌合可能とされて、前記セレクトバーを前記リテーナ本体の上方から前記第１ガイド溝に接近させたときに、該ストッパを該第２ガイド溝内に案内する第３ガイド溝と、
を備え、
前記第３ガイド溝の形成位置が、パンチの打抜可能位置においてのみ前記ストッパが該第３ガイド溝と嵌合可能なように設定され、
前記セレクトバーがパンチの打抜不能位置となる所定位置まで退出されたときに、前記ストッパが前記第２ガイド溝の長手方向端面に当接されて、該セレクトバーが前記リテーナ本体から抜け出るのが規制される、
ことを特徴とするプレス金型におけるパンチ保持装置。
【請求項４】
請求項３において、
前記セレクトバーが前記所定位置まで退出されたときに、前記ストッパを中心として、該セレクトバーがその先端部が上方へ向けて揺動可能とされ、
前記セレクトバーが前記所定位置まで退出されたとき、前記ばね座部材のパンチ軸心方向への延長軌跡上に該セレクトバーの先端部が位置するように設定され、
前記バッキングプレ−トをリテーナ本体から取外した状態で、前記セレクトバーが前記所定位置にまで退出させたとき、該セレクトバーを前記ストッパを中心として該セレクトバーの先端部が上方へ向かうように揺動させることによって、該セレクトバーの先端部が前記ばね座部材のパンチ軸心方向への延長軌跡から外れるようにされている、
ことを特徴とするプレス金型におけるパンチ保持装置。
【請求項５】
請求項４において、
前記第２ガイド溝および第３ガイド溝がそれぞれ前記セレクトバーの側面に形成され、前記ストッパが前記リテーナ本体に設けられている、ことを特徴とするプレス金型における番地保持装置。
【発明の詳細な説明】
【０００１】
【発明の属する技術分野】
本発明は、パンチを打抜可能位置と打抜不能位置とに切換可能なプレス金型におけるパンチ保持装置に関するものである。
【０００２】
【従来の技術】
プレス金型におけるパンチ保持装置の中には、パンチを打抜可能位置と打抜不能位置とに切換えることのできるようにしたものがある。すなわち、パンチが、プレス金型に取付けられるリテーナにその軸心方向に摺動自在に保持されると共に、スプリングによって該リテーナからの突出長さが短くされた打抜不能位置に向けて付勢されて、パンチの基端面側に配置されたセレクトバーによってパンチのリテーナからの突出長さを変更することにより、パンチの打抜可能位置と打抜不能位置とを切換えるようにしたものがある（例えば実公平３−４４１２号公報、実公平４−２１６０９号公報、実開昭５５−２３２８３号公報参照）。
【０００３】
【発明が解決しようとする課題】
ところで、コスト低減や小型化等のために、セレクトバーの進退出を手動によって行う手動式とすることがある。この場合、セレクトバーの退出操作のときに、不必要に大きく退出動させてしまって、セレクトバーをリテーナから引き出してしまうという問題を生じやすかった。
【０００４】
本発明は以上のような事情を勘案してなされたもので、セレクトバーを手動操作によって進退出させる場合に、セレクトバーがリテーナから不用意に抜け出てしまう事態を確実に防止できるようにしたプレス金型におけるパンチ保持装置を提供することにある。
【０００５】
【課題を解決するための手段】
前記目的を達成するため、本発明はその第１の解決手法として次のようにしてある。すなわち、特許請求の範囲における請求項１に記載のように、
パンチをその軸心方向に摺動自在として保持したリテーナ本体と、
前記リテーナ本体内に配置され、パンチの大径頭部によって抜け止めされたばね座部材と、
前記リテーナ本体内に配置され、前記ばね座部材に作用してパンチを打抜不能位置へ向け付勢するスプリングと、
前記リテーナ本体の上面に開口するように該リテーナ本体に形成されたガイド溝内に配置され、手動操作によって前記パンチの大径頭部背面に進退出されて、パンチの打抜可能位置と打抜不能位置とを切換えるためのセレクトバーと、
前記リテーナ本体の上面に着脱自在に取付けられ、前記パンチとばね座部材とセレクトバーとを上方から覆うバッキングプレ−トと、
前記セレクトバーがパンチの打抜不能位置となる所定位置まで退出されたときに該セレクトバーに当接されて、該セレクトバーが前記リテーナ本体から抜け出るのを規制するためのストッパと、
を備え、
前記セレクトバーが前記所定位置まで退出されたとき、前記ばね座部材のパンチ軸心方向への延長軌跡上に該セレクトバーの先端部が位置するように設定され、
前記セレクトバーが前記所定位置まで退出された状態において、前記バッキングプレ−トが取外された状態であっても該セレクトバーが前記ガイド溝から上方へ向けて抜け出るのを防止しつつ、該セレクトバーの先端部が上方へ向けて揺動可能とする揺動機構が設けられ、
前記バッキングプレ−トをリテーナ本体から取外した状態で、前記セレクトバーが前記所定位置にまで退出されたとき、該セレクトバーをその先端部が上方へ向かうように揺動させることによって、該セレクトバーの先端部が前記ばね座部材のパンチ軸心方向への延長軌跡から外れるようにされている、
ようにしてある。
【０００６】
前記目的を達成するため、本発明はその第２の解決手法として次のようにしてある。すなわち、特許請求の範囲における請求項２に記載のように、
パンチをその軸心方向に摺動自在として保持したリテーナ本体と、
前記リテーナ本体内に配置され、パンチの大径頭部によって抜け止めされたばね座部材と、
前記リテーナ本体内に配置され、前記ばね座部材に作用してパンチを打抜不能位置へ向け付勢するスプリングと、
前記リテーナ本体の上面に開口するように該リテーナ本体に形成されたガイド溝内に配置され、手動操作によって前記パンチの大径頭部背面に進退出されて、パンチの打抜可能位置と打抜不能位置とを切換えるためのセレクトバーと、
前記リテーナ本体の上面に着脱自在に取付けられ、前記パンチとばね座部材とセレクトバーとを上方から覆うバッキングプレ−トと、
前記セレクトバーがパンチの打抜不能位置となる所定位置まで退出されたときに該セレクトバーに当接されて、該セレクトバーが前記リテーナ本体から抜け出るのを規制するためのストッパと、
を備え、
前記セレクトバーが、前記ガイド溝に対して、パンチの打抜可能位置においてのみ上方から嵌合できるようにされている、
ようにしてある。
【０００７】
前記目的を達成するため、本発明はその第３の解決手法として次のようにしてある。すなわち、特許請求の範囲における請求項３に記載のように、
パンチをその軸心方向に摺動自在として保持したリテーナ本体と、
前記リテーナ本体内に配置され、パンチの大径頭部によって抜け止めされたばね座部材と、
前記リテーナ本体内に配置され、前記ばね座部材に作用してパンチを打抜不能位置へ向け付勢するスプリングと、
前記リテーナ本体の上面に開口するように該リテーナ本体に形成された第１ガイド溝内に配置され、手動操作によって前記パンチの大径頭部背面に進退出されて、パンチの打抜可能位置と打抜不能位置とを切換えるためのセレクトバーと、
前記リテーナ本体の上面に着脱自在に取付けられ、前記パンチとばね座部材とセレクトバーとを上方から覆うバッキングプレ−トと、
前記セレクトバーの側面および前記第１ガイド溝の内側面のいずれか一方に形成されて、該セレクトバーの長手方向に伸びる第２ガイド溝と、
前記セレクトバーの側面および前記第１ガイド溝の内側面の他方に設けられ、前記第２ガイド溝内に嵌合される突起状のストッパと、
前記第２ガイド溝に連通するように形成され、前記ストッパがパンチの軸心方向から嵌合可能とされて、前記セレクトバーを前記リテーナ本体の上方から前記第１ガイド溝に接近させたときに、該ストッパを該第２ガイド溝内に案内する第３ガイド溝と、
を備え、
前記第３ガイド溝の形成位置が、パンチの打抜可能位置においてのみ前記ストッパが該第３ガイド溝と嵌合可能なように設定され、
前記セレクトバーがパンチの打抜不能位置となる所定位置まで退出されたときに、前記ストッパが前記第２ガイド溝の長手方向端面に当接されて、該セレクトバーが前記リテーナ本体から抜け出るのが規制される、
ようにしてある。上記解決手法を前提とした好ましい態様は、特許請求の範囲における請求項４以下に記載のとおりである。
【０００８】
【発明の効果】
本発明によれば、基本的に、セレクトバーが打抜不能位置となる所定位置まで退出されたときは、ストッパによって該セレクトバーのそれ以上の退出動が規制されるので、セレクトバーが不用意にリテーナから抜け出てしまう事態を確実に防止することができる。
【０００９】
前述の基本的な効果に加えて、請求項１によれば、セレクトバーの進退出に要する全ストロ−ク変位を小さいものつまり全体として小型化を図りつつ、パンチの交換の際にセレクトバーを上方へ揺動させることによって、セレクトバーに邪魔されることなくパンチおよびばね座部材をリテーナ本体に対して取付け、取外しすることができるという特有の効果を奏する。
【００１０】
前述の基本的な効果に加えて、請求項２によれば、スプリングに抗してセレクトバーをガイド溝に嵌合させた後、セレクトバーを若干退出動させることによって、セレクトバーのリテーナ本体からの上方への抜けを自動的に防止した状態として、バッキングプレ−トをリテーナ本体に固定する作業を容易に行うことができるという特有の効果を奏する。
【００１１】
前述の基本的な効果に加えて、請求項３によれば、ガイド溝とストッパとを利用して、請求項２に特有の効果と同様の効果を得ることができる。
請求項４によれば、ストッパを有効に利用して、請求項１に特有の効果と同様の効果を得ることができる。
【００１２】
請求項５によれば、長く伸びる第２ガイド溝を、外部へ大きく露出することのできるセレクトバーの側面に対する外面加工の形式で形成することができ、その形成が容易である。
【００１３】
【発明の実施の形態】
図１において、１はプレス金型の上金型であり、この上金型１には、リテーナ２を介してパンチ３が保持されている。リテーナ２は、リテーナ本体４とバッキングプレ−ト５との分割構成とされ、これ等４と５とは、既知のようにボルトによって互いに着脱自在として一体化されている。
【００１４】
リテーナ本体４には、上下方向に伸びるガイド孔７が形成されて、ガイド孔７の上方部分は、当該ガイド孔７が連通されると共にリテーナ本体４上面に開口された収納空間８とされ、この収納空間８はバッキングプレ−ト５によって施蓋されている。パンチ３は、ガイド孔７に摺動される部分が中間軸部３ａとされ、中間軸部３ａより先端側が打抜加工部３ｂとされ、中間軸部３ａよりも上部が当該中間軸部３ａよりも若干大径とされた大径頭部３ｃとされている。
【００１５】
パンチ３の中間軸部３ａには、収納空間８内に位置させてばね座部材９が嵌合されて、大径頭部３ｃによってその抜け止めがなされている。リテーナ本体４には、収納空間８の底壁に開口するように、上下方向に伸びるばね収納凹部１０が、パンチ３の周方向略等間隔に複数（実施形態で３個）形成されている。各ばね収納凹部１０内に配置されたリタ−ンスプリング１１の上端部が、ばね座部材９の下面に当接され、これによりパンチ３は常時上方へ向けて付勢されている。
【００１６】
リテーナ本体４の上面には、パンチの略直径方向に伸ばしてかつ収納空間８に連通するように細長く第１ガイド溝１２が形成され、この第１ガイド溝１２もバッキングプレ−ト５によって施蓋されている。第１ガイド溝１２内には、セレクトバー（移動バッキングプレ−トとも称される）１３が摺動自在に嵌合されている。セレクトバー１３の先端部下面は、パンチ３の軸心方向において、上方に向うにつれてパンチ３の大径頭部３ｃから離れるように傾斜されたテーパ状の傾斜面１３ａとされている。セレクトバー１３の基端部には、手動操作のときに把持される操作部材２６が固定されている。
【００１７】
図１の状態は、セレクトバー１３がパンチ３の大径頭部３ｂ背面に進出されて、パンチ３のリテーナ２からの突出長さが長くされた打抜可能位置とされる。図１の状態から、操作部材２６を把持してセレクトバー１３を引っ張ることにより、セレクトバー１３がパンチ３の大径頭部３ｂ背面から退出されて、パンチ３がスプリング１１によって上方へ変位つまりリテーナ２からの突出長さが短くされて、図４に示す打抜不能位置とされる。
【００１８】
セレクトバー１３が所定位置まで退出された図４に示す打抜不能位置では、セレクトバー１３は、パンチ３の軸心方向において、パンチ３の大径頭部３ｃの延長軌跡よりも退出されるが、ばね座部材１０の延長軌跡内に位置するようにされる。すなわち、リテーナ２を上金型１から取り外すと共にバッキングプレ−ト５をリテーナ本体４から取り外して、パンチ３とばね座部材９とをリテーナ本体４から上方へ向けて引き抜くとき、このままではセレクトバー１３に対してばね座部材９が干渉してしまう関係となっている。
【００１９】
しかしながら、セレクトバー１３を、図５で示すように、揺動支点αを中心としてその先端部が上方へ向うように揺動させることにより、セレクトバー１３の先端部が、ばね座部材９のパンチ軸心方向延長軌跡から外れて、パンチ３はばね座部材９と共に、セレクトバー１３に邪魔されることなくリテーナ本体４から上方へ引き抜くことが可能となる。なお、セレクトバー１３の退出位置を、ばね座部材９と干渉しない位置にまで十分後方へ後退させるようにすることもできるが、この場合は、セレクトバー１３の必要な変位量が大きくなって、図４左右方向での長さが全体的に大きくなってしまうことになる。
【００２０】
セレクトバー１３は、打抜可能位置においてのみガイド溝１２に対して嵌合可能とされ、またセレクトバー１３の所定位置からのそれ以上の退出動が規制され、さらには前述のように当該所定位置まで退出された状態で揺動支点αを中心として上方へ揺動可能とされている。以下、このような機能を得るための一例について、図６〜図１０を参照しつつ説明する。
【００２１】
まず、セレクトバー１３の一側面には、その長手方向に細長く伸びる第２ガイド溝５１が形成されると共に、パンチ軸心方向に短く伸びる第３ガイド溝５２が形成されている。第３ガイド溝５２は、第２ガイド溝５１の後端部、つまり操作部材２６側において、第２ガイド溝５１と連通されている。各ガイド溝５１と５５２との幅は、それぞれほぼ同一とされている。第２ガイド溝５１は、第３ガイド溝５２との連通部分を除いて全体として環状に閉じられた形状とされて、その前方ストロ−ク端が符合５１ａで示され、後方ストロ−ク端が符合５１ｂで示される。
【００２２】
一方、リテーナ本体４には、第１ガイド溝１２の内側面において、ストッパ５３が設けられている。このストッパ５３は、図１０に示すように、スプリングプランジャからなる。すなわち、リテーナ本体４に第１ガイド溝１２の側面に開口するように形成された取付孔５５内に、ストッパ５３としてのプランジャが摺動自在に嵌入され、スプリング５４によって、第１ガイド溝１２内に向けて所定分だけ突出するように常時付勢されている。ストッパ５３の先端部は、第２ガイド溝５１および第３ガイド溝５２内に緩く嵌合できるような大きさとされている。そして、ストッパ５３は、リテーナ本体４の後端部付近、つまり操作部材２６に近い位置に設けれている。なお、スプリング５４の付勢力は、取付孔５５に螺合されたねじ５６によって調整される。
【００２３】
ストッパ５３に対して第３ガイド溝５２が嵌合可能な位置は、セレクトバー１３が図１に示す打抜可能位置にあるときのみとされる。バッキングプレ−ト５をリテーナ本体４から取り外した状態で（パンチ３、ばね座部材９、スプリング１１等はリテーナ本体４内にあらかじめ組み込まれている）、ストッパ５３に対して第３ガイド溝５２を整合させつつ、セレクトバー１３をスプリング１１に抗して下方へ押圧することにより、ストッパ５３が第３ガイド溝５２から第２ガイド溝５１へと嵌入されると共に、セレクトバー１３が全体的に第１ガイド溝１２内に嵌合される。
【００２４】
この後、セレクトバー１３をわずかに退出方向へ変位させれば、ストッパ５３が、第３ガイド溝５２とは外れた位置において第２ガイド溝５１に嵌合された状態となり、バッキングプレ−ト５が取外された状態でも、セレクトバー１３の第１ガイド溝１２からの不用意な抜けが規制される。
【００２５】
セレクトバー１３を第２ガイド溝５１に沿って退出させると、やがて第２ガイド溝５１の前方ストロ−ク端５２ａにストッパ５３が当接して、それ以上セレクトバーせ１３が退出方向へ移動するのが規制される（図４対応で、セレクトバー１３のリテーナ本体４からの抜け規制）。
【００２６】
図５に示すように、バッキングプレ−ト５がリテーナ本体４から取外された状態において、上述のようにストッパ５３が前方ストロ−ク端５１ａに当接した状態にする。この状態で、操作部材２６を下方へ押圧することにより、揺動支点αとしてのストッパ５３を中心として、セレクトバー１３がその先端部が上方へ向うように揺動される。これにより、セレクトバー１３に邪魔されることなく、リテーナ本体４からパンチ３、ばね座部材９を取外し、また取付けることができる。
【００２７】
なお、図２において、４１はリテーナ２（リテーナ本体４）の上金型１に対する位置決めを行う位置決めピン用の取付孔であり、４２はリテーナ２（リテーナ本体４）を上金型１に固定するためのボルトの挿通孔であり、４３はバッキングプレ−ト５をリテーナ本体４に固定するためのボルト孔である。また、バッキングプレ−ト５にも、上記孔４１〜４３に対応した孔が形成されるが、位置決め用の孔４１に対応した孔４１Ａはばか孔とされて、位置決めには関与しない。
【００２８】
図１１〜図１３は、本発明の別の実施の形態を示すもので、図１０までに示すものと同一構成要素には同一符合を付してある。本例では、セレクトバー１３が退出位置にあるときに、ばね座部材９をスプリング１１に抗して若干下方へ押圧変位させた状態として、セレクトバー１３の進出位置へ向けての変位がより容易に行えるようにしてある。すなわち、バッキングプレ−ト５に、その下面に突出するように、例えばスプリングピンのようなピン状の押圧用突起部材６１を取付けて、バッキングプレ−ト５をリテーナ本体４に固定したとき、突起部材６１によって、ばね座部材９を若干下方へ押圧するようにしてある。勿論、突起部材６１は、セレクトバー１３と干渉しない位置に設けられている。
【００２９】
図１４〜図１７は、パンチ３の上金型１に対する位置合わせの作業を容易に行えるようにした場合の例を示し、特にパンチ３の打抜加工部３ｂが断面円形とされている場合に好適なものを示す（パンチ３の周方向の位置決めまでは行わない）。すなわち、バッキングプレ−ト５に対して、別途位置決め用の中間部材７０が設けられる。
【００３０】
中間部材７０は、大径の第１部分７２と、第１部分７１の上面中央から上方へ突出された小径の第２部分７３とを有し、第２部分７２の中心部分には、位置決め孔７３が形成されている。第１部分７１の外周形状は、円形とされると共に、位置決め孔７３に対して同心でかつ所定寸法精度の関係を有するように設定されている。
【００３１】
一方、パンチ３が嵌合されるガイド孔７に連通する収納空間８の上部内面８ａが、円形とされて、ガイド孔７つまりパンチ３の軸心に対して同心でかつかつ所定寸法精度の関係を有するように設定されている。この上部内面８ａに対して、上記第１部分７１がきつく嵌合されており、これにより、パンチ３の軸心に対して、中間部材７１の位置決め孔７３が位置決めされる。
【００３２】
前記第２部分７２は、バッキングプレ−ト５に形成された貫通孔７４に対して緩く嵌合されて、位置決め孔７３が上金型１の下面に臨まさる。位置決め孔７３に対応して、上金型１にはあらかじめ位置決め孔７６が形成されており、この両方の位置決め孔７３、７６に跨がって位置決めピン７７をきつく嵌合させることによって、上金型１に対する中間部材７０の位置決め孔７３の位置が位置決めされる。このように、上金型１に対するパンチ３の軸心の位置決めが、位置決め孔７６、位置決めピン７７、位置決め孔７３、第１部分７１（の外周）、収納空間８（の上部内面８ａ）、ガイド孔７という寸法関係を介して行われる。
【００３３】
中間部材７０は、あらかじめバッキングプレ−ト５に固定され、このためのねじ孔が、符合７５で示される。中間部材７０の第１部分７１が収納空間８の上部内面８ａと嵌合するように、バッキングプレ−ト５がリテーナ本体４に固定される。この後、例えばあらかじめ位置決め孔７３に圧入しておいた位置決めピン７７を、上金型１の位置決め孔７６に嵌合させればよい。なお、第１部分７１の底面には、セレクトバー１３用の逃げ空間７８が、溝形式で形成されている。
【００３４】
以上実施の形態について説明したが、本発明はこれに限らず、例えば次のような場合をも含むものである。第２ガイド溝５１（第３ガイド溝５２）を、リテーナ本体４側つまり第１ガイド溝１２の内側面に形成する一方、ストッパ５３をセレクトバー１３に設けるようにしてもよい。また、ガイド溝５１（５２）とストッパ５３とを、セレクトバー１３を挟んで左右一対設けることもできる。
【００３５】
ストッパ５３を、全体的に一体的なピン部材として構成することもできる。すなわち、図１０において、ストッパ５３（プランジャ）とねじ５６とを一体化して取付孔５５に螺合した形式のものとして構成するようにしてもよい（この場合スプリング５４は不用となる）。なお、ストッパ５３の先端部（第２ガイド溝５１内に嵌入される部分）の断面を円形としておくことにより、図５に示すようなセレクトバー１３の円滑な揺動を確保する上で好ましいものとなる。
【００３６】
図１１〜図１３に示すものは、打抜不能位置にあるパンチ３の大径頭部３ｃの最上方高さ位置が、セレクトバー１３の傾斜面１３ａの途中部分高さ位置になるようにして、セレクトバー１３の退出位置から進出位置への変位を容易にするためである。このようにするために、突起部６１を利用する代わりに、バッキングプレ−ト５の下面にセレクトバー１３の上部が嵌入される逃げ溝を形成しておいて、セレクトバー１３の位置を図１R>１に示す状態から全体的に若干上方へ位置させるようにしてもよい。この場合、上記逃げ溝は、セレクトバー１３の全変位量に相当する長さだけ形成され、またセレクトバー１３（逃げ溝）の幅は、パンチ３の大径頭部３ｃの幅よりも小さくされる（大径頭部３ｃが、上記逃げ溝の開口端縁部に当接することによりそれ以上の上方への変位が規制され、上記逃げ溝の深さ分だけ、セレクトバー１３の上面高さ位置が大径頭部３ｃの上面高さ位置よりも高くされる）。
【００３７】
本発明の目的は、明記されたものに限らず、実質的に好ましいあるいは利点として記載された内容のものを提供することをも暗黙的に含むものである。
【図面の簡単な説明】
【図１】本発明の一実施形態を示すもので、パンチが打抜可能位置にあるときの側面断面図。
【図２】図１の状態からバッキングプレ−トを取り外して見たときの上面図。
【図３】バッキングプレ−トを示す平面図。
【図４】パンチが打抜不能位置とされた状態を示すもので、図１に対応した側面断面図。
【図５】図４の状態から、バッキングプレ−トを取外して、セレクトバーを揺動させたときの状態を示す側面断面図。
【図６】セレクトバーに形成されたガイド溝を示す側面図。
【図７】図６の底面図。
【図８】図６のＸ８−Ｘ８線相当断面図。
【図９】図６のＸ９−Ｘ９線相当断面図。
【図１０】ガイド溝とストッパとの係合関係を示す要部拡大断面図。
【図１１】本発明の別の実施の形態を示すもので、バッキングプレ−トの平面図。
【図１２】図１１に用いられるスプリングピンを示す図。
【図１３】図１１に示すバッキングプレ−トをリテーナ本体に固定したときの状態を示す要部断面図。
【図１４】本発明のさらに別の実施形態を示す要部断面図。
【図１５】図１４に用いられた中間部材の底面図。
【図１６】図１５の側面図。
【図１７】図１５の側面図で、図１６とは９０度ずれた方向から見た側面図。
【符合の説明】
１：上金型
２：リテーナ
３：パンチ
４：リテーナ本体
５：バッキングプレ−ト
７：ガイド孔
８：収納空間
９：ばね座部材
１１：リタ−ンスプリング
１２：第１ガイド溝
１３：セレクトバー
２６：操作部材
５１：第２ガイド溝
５１ａ：ストロ−ク端
５１ｂ：ストロ−ク端
５２：第３ガイド溝
５３：ストッパ（揺動中心）
α：揺動中心
【図１】
0003761658.tif 000002
【図２】
0003761658.tif 000003
【図３】
0003761658.tif 000004
【図４】
0003761658.tif 000005
【図５】
0003761658.tif 000006
【図６】
0003761658.tif 000007
【図７】
0003761658.tif 000008
【図８】
0003761658.tif 000009
【図９】
0003761658.tif 000010
【図１０】
0003761658.tif 000011
【図１１】
0003761658.tif 000012
【図１２】
0003761658.tif 000013
【図１３】
0003761658.tif 000014
【図１４】
0003761658.tif 000015
【図１５】
0003761658.tif 000016
【図１６】
0003761658.tif 000017
【図１７】
0003761658.tif 000018